(57)【要約】【課題】心電図と指尖脈波を同時に計測でき、さらに血圧も計測できる、操作性が簡単でコンパクトな健康管理端末器を提供すること。【解決手段】心電図および指尖脈波計測用の測定回路を内蔵すると共に、内部空間を有する端末器本体１０からなり、端末器本体１０は、内部空間に通じるように形成された開口部と、外壁に設けられ、ユーザの一方の手の手のひらが接触する心電図計測用の一方の電極（外部電極）１２と、内部空間を形成する内壁に設けられ、開口部から挿入されるユーザの他方の手の手のひらが接触する心電図計測用の他方の電極（本体電極）１７と、他方の電極（本体電極）１７の近傍に配置され、他方の手の指の指尖脈波を計測する指尖脈波計測用センサ部２１とを備えている。【選択図】図２
2005296214.tif 000002
【特許請求の範囲】
【請求項１】
心電図および指尖脈波計測用の測定回路を内蔵すると共に、内部空間を有する端末器本体からなり、該端末器本体は、
前記内部空間に通じるように形成された開口部と、
外壁に設けられ、ユーザの一方の手の手のひらが接触する心電図計測用の一方の電極と、
前記内部空間を形成する内壁に設けられ、前記開口部から挿入されるユーザの他方の手の手のひらが接触する心電図計測用の他方の電極と、
前記他方の電極の近傍に配置され、前記他方の手の指の指尖脈波を計測する指尖脈波計測用センサ部とを備えている
ことを特徴とする健康管理端末器。
【請求項２】
請求項１記載の健康管理端末器において、
前記外壁には、ユーザの一方の手の指で操作可能な操作パネルが設けられている
ことを特徴とする健康管理端末器。
【請求項３】
請求項１記載の健康管理端末器において、
前記内壁の底部は、凸面に形成されており、
前記一方の電極は、前記外壁の形状に沿った形状を有する金属板からなり
前記他方の電極は、前記凸面に沿った形状を有する金属板からなる
ことを特徴とする健康管理端末器。
【請求項４】
請求項３記載の健康管理端末器において、
前記一方および他方の電極の金属板上には、それぞれ、複数の隆起部が設けられている
ことを特徴とする健康管理端末器。
【請求項５】
請求項１から４のいずれか１項に記載の健康管理端末器において、
前記測定回路は、血圧計測用の測定回路を含み、前記内部空間には、血圧計測用のカフが収納されている
ことを特徴とする健康管理端末器。
【請求項６】
請求項１から４のいずれか１項に記載の健康管理端末器において、
前記開口部には、スライドドアが設けられている
ことを特徴とする健康管理端末器。
【請求項７】
請求項１から６のいずれか１項に記載の健康管理端末器において、
前記端末器本体には、持ち運びの際に手指を挿入可能な凹部が形成されている
ことを特徴とする健康管理端末器。
【請求項８】
請求項１から７のいずれか１項に記載の健康管理端末器において、
前記端末器本体との間で通信する通信アダプタをさらに備えている
ことを特徴とする健康管理端末器。
【発明の詳細な説明】
【技術分野】
【０００１】
本発明は、在宅にてユーザの心電図および指尖脈波や血圧を計測することができる健康管理端末器に関する。
【背景技術】
【０００２】
従来、この種の健康管理端末器として、血圧と心電波を計測できるものが、特開平７−８８０９０号公報（特許文献１）や特開平１０−３２８１４７号公報（特許文献２）等に開示されている。
【０００３】
また、血圧と指尖脈波を計測できるものが、たとえば特開平６−１２５８８２号公報（特許文献３）に開示されている。
【特許文献１】特開平７−８８０９０号公報
【特許文献２】特開平１０−３２８１４７号公報
【特許文献３】特開平６−１２５８８２号公報
【発明の開示】
【発明が解決しようとする課題】
【０００４】
しかしながら、上述の従来技術では心電図と指尖脈波を同時に計測することができなかった。したがって、心電図と指尖脈波を計測するには、それぞれの計測を行う２つの測定器具を装着する必要があるため、不便であった。また、指尖脈波計測用のセンサ部は、外光を遮断するための暗室が必要であり、操作性が簡単でコンパクトな計測機器としてまとめるには工夫が必要であった。
【０００５】
そこで本発明は、上述した従来の問題点に鑑み、心電図と指尖脈波を同時に計測でき、さらに血圧も計測できる、操作性が簡単でコンパクトな健康管理端末器を提供することを目的としている。
【課題を解決するための手段】
【０００６】
請求項１記載の発明の健康管理端末器は、心電図および指尖脈波計測用の測定回路を内蔵すると共に、内部空間を有する端末器本体からなり、該端末器本体は、前記内部空間に通じるように形成された開口部と、外壁に設けられ、ユーザの一方の手の手のひらが接触する心電図計測用の一方の電極と、前記内部空間を形成する内壁に設けられ、前記開口部から挿入されるユーザの他方の手の手のひらが接触する心電図計測用の他方の電極と、前記他方の電極の近傍に配置され、前記他方の手の指の指尖脈波を計測する指尖脈波計測用センサ部とを備えていることを特徴とする。
【０００７】
請求項２記載の発明は、請求項１記載の健康管理端末器において、前記外壁には、ユーザの一方の手の指で操作可能な操作パネルが設けられていることを特徴とする。
【０００８】
請求項３記載の発明は、請求項１記載の健康管理端末器において、前記内壁の底部は、凸面に形成されており、前記一方の電極は、前記外壁の形状に沿った形状を有する金属板からなり、前記他方の電極は、前記凸面に沿った形状を有する金属板からなることを特徴とする。
【０００９】
請求項４記載の発明は、請求項３記載の健康管理端末器において、前記一方および他方の電極の金属板上には、それぞれ、複数の隆起部が設けられていることを特徴とする。
【００１０】
請求項５記載の発明は、請求項１から４のいずれか１項に記載の健康管理端末器において、前記測定回路は、血圧計測用の測定回路を含み、前記内部空間には、血圧計測用のカフが収納されていることを特徴とする。
【００１１】
請求項６記載の発明は、請求項１から４のいずれか１項に記載の健康管理端末器において、前記開口部には、スライドドアが設けられていることを特徴とする。
【００１２】
請求項７記載の発明は、請求項１から６のいずれか１項に記載の健康管理端末器において、前記端末器本体には、持ち運びの際に手指を挿入可能な凹部が形成されていることを特徴とする。
【００１３】
請求項８記載の発明は、請求項１から７のいずれか１項に記載の健康管理端末器において、前記端末器本体との間で通信する通信アダプタをさらに備えていることを特徴とする。
【発明の効果】
【００１４】
請求項１記載の発明によれば、容易に持ち運び、好きな場所で計測することができる。また、センサクリップの装着や電極の装着の必要がなく、片方の手を端末器本体に差し込んで一方の電極に置き、もう一方の手を他方の電極に置くだけで、心電図と指尖脈波を同時に簡単に計測することができる。
【００１５】
請求項２記載の発明によれば、他方の電極に置かれた手の指で操作可能な場所に操作パネルが配置されているので、計測の際に、ユーザは自分で操作することができる。
【００１６】
請求項３記載の発明によれば、一方の電極は凸面状になっているので、手のひらを自然な形で置くことができる。
【００１７】
請求項４記載の発明によれば、隆起部により、電極と確実に接触することができる。
【００１８】
請求項５記載の発明によれば、心電図と指尖脈波に加えて、血圧も計測することができる。また、指尖脈波計測用の暗室と血圧計測用のカフ収納スペースを兼ねた構造になっており、コンパクトな機器としてまとまっている。
【００１９】
請求項６記載の発明によれば、暗室または収納スペースは、スライドドア構造になっているため、スペース効率が良く、使いやすい構造となっている。
【００２０】
請求項７記載の発明によれば、凹部に手指をかけて容易に持ち運ぶことができる。
【００２１】
請求項８記載の発明によれば、端末器本体と通信アダプタに分離されているので、送受信すべき外部機器の形式に合わせた通信アダプタを取り替えることができる。
【発明を実施するための最良の形態】
【００２２】
以下、本発明の実施の形態について図面を参照して説明する。
【００２３】
図１は、本発明に係る健康管理端末器の実施の形態を示す斜視図、図２は分解斜視図、図３は端末器本体の平面図、図４は端末器本体の底面図、図５は健康管理端末器の部分カット図、図６は指尖脈波計測用の指ガイド機構を説明する部分斜視図、図７は健康管理端末器の測定回路を示すブロック図である。
【００２４】
図１に示すように、健康管理端末器１は、端末器本体１０と、端末器本体１０との間で通信すると共に、端末器本体１０が載置される載置台を兼ねた通信アダプタ３０とから構成される。
【００２５】
端末器本体１０は、合成樹脂製でほぼ円柱状に形成され、心電図、指尖脈波および血圧計測用の測定回路（図７参照）を内蔵すると共に、指尖脈波計測用の暗室と血圧計測用カフの収納スペースを兼ねる内部空間（図２参照）を有している。端末器本体１０の外壁の側面１０ｂには、内部空間に通じるように開口部１０ｂ１が形成されている。開口部１０ｂ１には、把手１１ａを有するスライドドア１１が設けられている。端末器本体１０の外壁の上縁には、ユーザの一方の手の手のひらが置かれて接触する心電図計測用の一方の電極（以下、外部電極という）１２とアース電極１３が設けられている。外部電極１２およびアース電極１３は、上縁から上面１０ａおよび側面１０ｂに折れ曲がった金属板からなる。金属板上には、円弧状に隆起する隆起部１２ａおよび１３ａがそれぞれ複数個設けられている。なお、アース電極は、ハムノイズといわれるノイズを除くために必要なものである。
【００２６】
また、外部電極１２およびアース電極１３の下部には、端末器本体１０の持ち運びの際に手指を挿入可能な凹部１４が形成されている。この凹部１４は、図１には図示されていないが、対向する側面にも形成されている。また、端末器本体１０の外壁の上面１０ａには、ユーザの一方の手の指で操作可能な場所に操作パネル１５が設けられている。
【００２７】
図２に示すように、端末器本体１０のスライドドア１１を開けると、その内部空間１０ｄを形成する内壁１６の底部１６ａは、自然な状態の手のひらの窪みにほぼ合う形状のなだらかな凸面に形成されている。この底部１６ａには、外部電極１２と対をなす他方の電極（以下、本体電極という）１７が設けられている。本体電極１７は、スライドドア１１の近くで幅が広くかつ奥に行くにつれて幅が狭くなるほぼ逆扇形状で凸面に沿った形状を有する金属板からなる。金属板上には、円弧状に棒状に隆起する複数の隆起部１７ａが設けられている。スライドドア１１近くの内壁１６の上部１６ｂには、血圧計測用カフ１８に接続されたチューブ１９の取付口２０が設けられている。
【００２８】
端末器本体１０が載置される通信アダプタ３０は、端末器本体１０が載置される載置面３１と、ＵＳＢ対応の通信コード３２を有する。載置面３１には、ほぼ円弧状に形成された赤外線通信用のガラス窓３１ａが設けられている。
【００２９】
また、図３に示すように、端末器本体１０の上面１０ａに設けられた操作パネル１５には、ＬＣＤ（液晶ディスプレイ等からなる表示部１５ａと、操作部１５ｂが設けられている。操作部１５ｂは、ユーザの一方の手の指で操作可能な位置に、それぞれ押しボタン形式の操作スイッチである、電源ボタン１５ｂ１、「はい」ボタン１５ｂ２、「いいえ」ボタン１５ｂ３、上スクロールボタン１５ｂ４および下スクロールボタン１５ｂ５が配置されている。
【００３０】
また、図４に示すように、端末器本体１０の外壁の底面１０ｃには、測定回路の電源用の電池（図示しない）を収納する収納部１０ｃ１と、通信アダプタ３０に載置された時にガラス窓３１ａと整列するほぼ円弧状に形成された赤外線通信用のガラス窓１０ｃ２が設けられている。
【００３１】
また、図５に示すように、スライドドア１１側から見た時の本体電極１７の奥側の近傍に指尖脈波計測用センサ部２１が設けられている。この指尖脈波計測用センサ部２１は、内壁１６の底部１６ａの一部に形成されたガラス窓２２と、ガラス窓２２の上に設けられた指ガイド機構２３とを有している。ガラス窓２２の下部には、図示しないが、指尖脈波計測用の赤外線発光素子および受光素子を含む赤外線受発光回路が配置されている。
【００３２】
指ガイド機構２３は、図６に示すように、ガラス窓２２の上方にスライド可能に設けられた指カバー２３ａと、内壁１６の底部１６ａの裏側にそれぞれ配置された、指カバー２３ａの切欠部２３ａ１に嵌合する固定軸２３ｂと、指カバー２３ａに下方への付勢力を与える板バネ２３ｃとから構成されている。
【００３３】
図７は、健康管理端末器１０の測定回路を示すブロック図である。端末器本体１０は、電池１００、電源回路１０１、マイクロコンピュータ１０２、データ保持メモリ１０３、操作スイッチ１０４（操作部１５ｂに相当）、液晶表示部１０５（表示部１５ａに相当）、警報回路１０６、入力切換部１０７、ＥＣＧアンプ１０８、フィルター回路１０９、Ａ／Ｄ変換器１１０、感度切換部１１１、赤外線受発光回路１１２、脈波アンプ１１３、フィルター回路１１４、送気ポンプ回路１１５、送気ポンプ１１６、排気弁駆動コントロール回路１１７、電磁排気弁１１８、カフ１１９（血圧計測用カフ）１８に相当）、排気弁１２０、圧力検出回路１２１、脈波検出増幅認識回路１２２、シリアル通信回路１２３および光変換回路１２４とを含む。通信アダプタ３０は、光変換回路３０１および通信処理回路３０２を含む。
【００３４】
心電図計測信号は、外部電極１２および本体電極１７から入力切換部１０７に入力され、ＥＣＧアンプ１０８、フィルタ回路１０９およびＡ／Ｄ変換回路１１０を介してマイクロコンピュータ１０２に取り込まれる。取り込まれた心電図計測データは、データ保持メモリ１０３に保持されると共に、液晶表示部１０５に表示される。
【００３５】
指尖脈波計測信号は、赤外線受発光回路１１２、脈波アンプ１１３およびフィルター回路１１４を介してマイクロコンピュータ１０２に取り込まれる。取り込まれた指尖脈波計測データは、データ保持メモリ１０３に保持されると共に、液晶表示部１０５に表示される。
【００３６】
血圧計測信号は、カフ１１９および圧力検出回路１２１を介してマイクロコンピュータ１０２に取り込まれる。取り込まれた血圧計測データは、データ保持メモリ１０３に保持されると共に、液晶表示部１０５に表示される。
【００３７】
データ保持メモリ１０３に保持された心電図計測データ、指尖脈波計測データおよび血圧計測データは、操作スイッチ１０４の操作により動作モードをデータ送信にした時に、データ保持メモリ１０３から読み出され、シリアル通信回路１２３および光変換回路１２４を介して赤外線信号として通信アダプタ３０へ送信される。送信された赤外線信号は、通信アダプタ３０の光変換回路３０１で元の計測データ形式に変換され、通信処理回路３０２を介してパソコン等の外部機器に送信される。
【００３８】
次に、健康管理端末器の操作方法について概略説明する。まず、健康管理端末器１を持ち運んで好きな場所に置く。好適には、テーブルや机等に健康管理端末器１を置き、ユーザが椅子等に腰掛けて計測をするのが望ましいが、ベッドや布団上でも計測可能である。
【００３９】
そこで、血圧を計測する場合は、操作部１５ｂの電源ボタン１５ｂ１の操作により電源オン後、動作モードを血圧計測モードにする。次に、スライドドア１１を開けて、内部空間１０ｄに収納されている血圧計測用のカフ１８を取り出す。次に、カフをユーザの腕に巻き付ける。次に、操作部１５の「はい」ボタン１５ｂ２を操作する。それにより、血圧計測が開始され、計測が終了すると、表示部１５ａに計測値が表示される。
【００４０】
また、心電図および指尖脈波を計測する場合は、動作モードを心電図および指尖脈波計測モードにし、スライドドア１１を開けて、内部空間１０ｄに収納されている血圧計測用のカフ１８を取り出す。次に、左手を開口部１０ｄから挿入して本体電極１７上に左手の手のひらを置くと共に、左手の人差し指の指尖を指尖脈波用センサ部２１の指ガイド機構２３の指カバー２３ａとガラス窓２２の間に挿入する。この時、指尖の腹がガラス窓２２上になるように位置決めされる。また、指尖の爪側は、板バネ２３ｃの付勢力により指カバー２３ａで押さえ込まれる。
【００４１】
次に、右手の手のひらを外部電極１２およびアース電極１３上に置く。次に、その状態のまま、右手の指で操作部１５ｂの「はい」ボタン１５ｂ２を操作する。それにより、心電図および指尖脈波計測が開始され、計測が終了すると、表示部１５ａに、心電図は波形表示され、指尖脈波はレベル表示される。
【００４２】
なお、血圧、心電図および指尖脈波の計測データは、端末器本体１０を通信アダプタ３０に載置し、動作モードをデータ送信モードとすることにより、通信アダプタ３０を介して外部機器、たとえばパソコンに取り込むことができる。さらに、計測データは、インターネット等の通信網を介してパソコンから外部管理センタ等へ送ることができる。
【００４３】
このように、本発明によれば、
（１）容易に持ち運び、好きな場所で計測することができる。
（２）センサクリップの装着や電極の装着の必要がなく、片方の手を端末器本体に差し込んで本体電極に置き、もう一方の手を外部電極に置くだけで、心電図と指尖脈波を同時に簡単に計測することができる。このとき、腕に力が入ることなくリラックスした状態になるので、安静状態での計測値を得ることができる。
（３）指尖脈波計測用の暗室と血圧計測用のカフ収納スペースを兼ねた構造になっており、コンパクトな機器としてまとまっている。また、暗室または収納スペースは、スライドドア構造になっているため、スペース効率が良く、使いやすい構造となっている。
（４）外部電極におかれた手の指で操作可能な場所に操作パネルが配置されているので、計測中にも自分で操作が可能である。
（５）端末器本体と通信アダプタに分離されているので、送受信すべき外部機器の形式に合わせた通信アダプタを取り替えることができる。
【００４４】
以上の通り、本発明の実施の形態について説明したが、本発明はこれに限らず、種々の変形、応用が可能である。
【００４５】
たとえば、端末器本体１０の形状は、上述の実施の形態ではほぼ円柱状としているが、これに限らず、箱状等の他の形状とすることもできる。
【００４６】
また、通信アダプタ３０は、ＵＳＢ対応の通信コード３２を有しているが他の接続方式の通信コードとしても良い。また、通信コード３２が接続される外部機器は、パソコンに限らず、携帯電話機、有線電話機またはケーブルテレビチューナ等でも良い。さらに、通信アダプタ３０には、パソコン機能を持つモジュールを内蔵しても良い。
【図面の簡単な説明】
【００４７】
【図１】本発明に係る健康管理端末器の実施の形態を示す斜視図である。
【図２】健康管理端末器の分解斜視図である。
【図３】健康管理端末器における端末器本体の平面図である。
【図４】端末器本体の底面図である。
【図５】健康管理端末器の部分カット図である。
【図６】端末器本体における指尖脈波計測用の指ガイド機構を説明する部分斜視図である。
【図７】健康管理端末器の測定回路を示すブロック図である。
【符号の説明】
【００４８】
１    健康管理端末器
１０  端末器本体
１１  スライドドア
１２  外部電極（一方の電極）
１３  アース電極
１４  凹部
１５  操作パネル
１６  内壁
１７  本体電極（他方の電極）
１８  血圧計測用カフ
１９  チューブ
２１  指尖脈波計測用センサ部
３０  通信アダプタ
【図１】
2005296214.tif 000003
【図２】
2005296214.tif 000004
【図３】
2005296214.tif 000005
【図４】
2005296214.tif 000006
【図５】
2005296214.tif 000007
【図６】
2005296214.tif 000008
【図７】
2005296214.tif 000009